(57)【要約】【課題】画像シートとレンチキュラーシートとを貼り合わせてレンチキュラープリントを作成するに際し、簡易な構成により画像シートとレンチキュラーシートとを精度よく位置合わせできるようにする。【解決手段】合成画像を付与する画像領域２と、位置合わせのための第１および第２の調整パターン３１，３２を配置するパターン領域３とから、レンチキュラーシート１１が貼り合わせられる画像シート１を構成する。【選択図】図１
2010250143.tif 000002
【特許請求の範囲】
【請求項１】
複数のシリンドリカルレンズを平行に並べて構成されるレンチキュラーシートと貼り合わせることにより立体視または画像の変化が可能な、前記シリンドリカルレンズのそれぞれに対応する、複数の短冊状の画像からなる画像単位が複数並べられてなる合成画像が付与される画像シートであって、
前記合成画像が付与される画像領域と、
前記レンチキュラーシートとの回転方向の位置合わせを行うための少なくとも１つの第１の調整パターン、および前記レンチキュラーシートとの前記画像単位が並ぶピッチ方向の位置合わせを行うための少なくとも１つの第２の調整パターンが付与されるパターン領域とを有することを特徴とする画像シート。
【請求項２】
前記第１の調整パターンは、前記ピッチ方向に並ぶ複数の線分からなり、前記画像単位のピッチをＰ０としたとき、前記線分のピッチＰ１が、Ｐ０＜Ｐ１＜２・Ｐ０の関係を満たすことを特徴とする請求項１記載の画像シート。
【請求項３】
前記線分のピッチＰ１が、前記画像単位のピッチＰ０の略４／３倍であることを特徴とする請求項２記載の画像シート。
【請求項４】
前記第２の調整パターンは、前記画像単位の略中央の位置と対応する位置において、該画像単位と同一ピッチにて、前記ピッチ方向に並ぶ複数の線分からなり、該線分の線幅が前記画像単位のピッチＰ０の略１／２倍であることを特徴とする請求項１から３のいずれか１項記載の画像シート。
【請求項５】
前記パターン領域が、前記画像領域の周囲に付与されてなり、該画像領域の長手方向において該画像領域を挟む位置に、前記第１および前記第２の調整パターンがそれぞれ付与されてなることを特徴とする請求項１から４のいずれか１項記載の画像シート。
【請求項６】
前記画像領域を前記長手方向と直交する方向に挟む位置に、前記第２の調整パターンが付与されてなることを特徴とする請求項５項記載の画像シート。
【請求項７】
前記パターン領域が、前記画像領域の長手方向において、該画像領域を挟む２つの領域に分割されてなり、該２つの領域のそれぞれに前記第１および前記第２の調整パターンが付与されてなることを特徴とする請求項１から４のいずれか１項記載の画像シート。
【請求項８】
前記第１および前記第２の調整パターンに、それぞれ異なる色が付与されてなることを特徴とする請求項１から７のいずれか１項記載の画像シート。
【請求項９】
請求項１から８のいずれか１項記載の画像シートと、複数のシリンドリカルレンズを平行に並べて構成されるレンチキュラーシートとの位置合わせを行う位置合わせ装置であって、
前記画像シートに重ねられた前記レンチキュラーシートにおける、前記第１の調整パターンを撮影する撮影手段と、
該撮影により取得される前記第１の調整パターン画像における前記線分の、前記画像単位の長手方向に対する角度を検出する検出手段と、
該角度が最小となるように前記画像シートに対して前記レンチキュラーシートを回転して、前記回転方向の位置合わせを行う移動手段とを備えたことを特徴とする位置合わせ装置。
【請求項１０】
前記撮影手段は、前記回転方向の位置合わせ後、前記画像シートに重ねられた前記レンチキュラーシートにおける、前記第２の調整パターンを撮影する手段であり、
前記検出手段は、該撮影により取得される前記第２の調整パターン画像における前記線分の濃度を検出する手段であり、
前記移動手段は、該濃度が最高となるように前記画像シートに対して前記レンチキュラーシートを前記シリンドリカルレンズのピッチ方向に移動して、前記ピッチ方向の位置合わせを行う手段であることを特徴とする請求項９記載の位置合わせ装置。
【請求項１１】
請求項１から８のいずれか１項記載の画像シートと、複数のシリンドリカルレンズを平行に並べて構成されるレンチキュラーシートとの位置合わせを行う位置合わせ方法であって、
前記画像シートに重ねられた前記レンチキュラーシートにおける、前記第１の調整パターンを撮影し、
該撮影により取得される前記第１の調整パターン画像における前記線分の、前記画像単位が延在する方向に対する角度を検出し、
該角度が最小となるように前記画像シートに対して前記レンチキュラーシートを回転して、前記回転方向の位置合わせを行うことを特徴とする位置合わせ方法。
【請求項１２】
複数のシリンドリカルレンズを平行に並べて構成されるレンチキュラーシートと貼り合わせることにより立体視または画像の変化が可能な、前記シリンドリカルレンズのそれぞれに対応する複数の短冊状の画像からなる画像単位が複数並べられてなる合成画像が付与される画像シートであって、
前記合成画像が付与される画像領域と、
前記レンチキュラーシートとの位置合わせを行うための調整パターンが全面に付与されるパターン領域とを有することを特徴とする画像シート。
【請求項１３】
前記調整パターンは、前記画像単位の略中央の位置と対応する位置において、該画像単位と同一ピッチにて、前記画像単位のピッチ方向に並ぶ複数の線分からなり、該線分の線幅が前記画像単位のピッチＰ０の略１／２倍であることを特徴とする請求項１２記載の画像シート。
【請求項１４】
請求項１２または１３記載の画像シートと、複数のシリンドリカルレンズを平行に並べて構成されるレンチキュラーシートとの位置合わせを行う位置合わせ装置であって、
前記画像シートに重ねられた前記レンチキュラーシートにおける、前記調整パターンを撮影する撮影手段と、
該撮影により取得される前記調整パターン画像の高周波成分を検出する検出手段と、
該高周波成分が最小となるように前記画像シートに対して前記レンチキュラーシートを回転して、該画像シートと前記レンチキュラーシートとの回転方向の位置合わせを行う移動手段とを備えたことを特徴とする位置合わせ装置。
【請求項１５】
前記撮影手段は、前記回転方向の位置合わせ後、前記画像シートに重ねられた前記レンチキュラーシートにおける、前記調整パターンを撮影する手段であり、
前記検出手段は、該撮影により取得される前記調整パターン画像における前記線分の濃度を検出する手段であり、
前記移動手段は、該濃度が最高となるように前記画像シートに対して前記レンチキュラーシートを前記シリンドリカルレンズのピッチ方向に移動して、該ピッチ方向の位置合わせを行う手段であることを特徴とする請求項１４記載の位置合わせ装置。
【請求項１６】
請求項１２または１３記載の画像シートと、複数のシリンドリカルレンズを平行に並べて構成されるレンチキュラーシートとの位置合わせを行う位置合わせ方法であって、
前記画像シートに重ねられた前記レンチキュラーシートにおける、前記調整パターンを撮影し、
該撮影により取得される前記調整パターン画像の高周波成分を検出し、
該高周波成分が最小となるように前記画像シートに対して前記レンチキュラーシートを回転して、該画像シートと前記レンチキュラーシートとの回転方向の位置合わせを行うことを特徴とする位置合わせ方法。
【発明の詳細な説明】
【技術分野】
【０００１】
本発明は、レンチキュラーシートと貼り合わせることにより、立体視または画像の変化が可能な合成画像が付与された画像シート、並びに画像シートとレンチキュラーシートとの位置合わせを行う位置合わせ装置および方法に関するものである。
【背景技術】
【０００２】
複数の画像を組み合わせて３次元表示することにより、視差を利用して立体視できることが知られている。このような立体視は、同一の被写体を異なる位置から複数のカメラを用いて撮影することにより、視差を有する複数の画像（視差画像とする）を取得し、複数の視差画像に含まれる被写体の視差を利用して複数の画像を３次元表示することにより行うことができる。
【０００３】
ここで、画像を３次元表示するための方式として、レンチキュラープリントが公知である。レンチキュラープリントは、複数の撮影部を有する多眼撮影装置により取得された複数の視差画像を、垂直方向に短冊状に切り取って交互に配置することにより合成画像を生成し、合成画像をプリント用紙にプリントして画像シートを作成し、複数の視差画像のそれぞれから切り取った複数の短冊状の画像からなる画像単位と、レンチキュラーシートの個々のシリンドリカルレンズとの位置合わせを行った後に、画像シートとレンチキュラーシートとを貼り合わせることにより作成することができる。また、立体視を行うレンチキュラープリントのみならず、見る角度を変化させることにより画像を変化させるチェンジングが可能なレンチキュラープリントも公知である。
【０００４】
このような立体視等が可能なレンチキュラープリントにおいては、複数の視差画像（立体視の場合）のそれぞれから切り取った複数の短冊状の画像からなる画像単位と、レンチキュラーシートの個々のシリンドリカルレンズとの位置合わせを精度よく行わないと、立体視または画像の変化を視認できない。具体的には、レンチキュラーシートにおけるシリンドリカルレンズの長手方向と、合成画像における画像単位の長手方向とが一致し、かつシリンドリカルレンズ内に１つの画像単位のみが位置するように、位置合わせを行う必要がある。このため、合成画像上に形成したラインを目視して位置合わせを行う手法（特許文献１参照）、画像シートおよびレンチキュラーシートに凹凸を形成し、凹凸を嵌合させることにより位置合わせを行う手法（特許文献２参照）、画像シートに合成画像の領域と位置合わせを行うためのゲージ領域とを形成し、ゲージ領域のモアレを利用して位置合わせを行う手法（特許文献３参照）、および枠を用いて位置合わせを行う手法（特許文献４参照）等が提案されている。
【先行技術文献】
【特許文献】
【０００５】
【特許文献１】特開平１１−１５０８６号公報
【特許文献２】特開平１０−１２３６３３号公報
【特許文献３】特開平１１−３５２４４１号公報
【特許文献４】特開２００１−７５２００号公報
【発明の概要】
【発明が解決しようとする課題】
【０００６】
しかしながら、特許文献１に記載された手法は、単に直線を目視して位置合わせを行うものであるため位置合わせ精度が低く、自動化に不向きである。また、特許文献２に記載された手法は、画像シートおよびレンチキュラーシートに凹凸を形成する必要があるため、その設備が必要となる。また、特許文献３に記載された手法は、画像シートとレンチキュラーシートとの回転方向の位置合わせを行うことができない。また、特許文献４に記載された手法は、枠を用意する必要がある。
【０００７】
本発明は上記事情に鑑みなされたものであり、画像シートとレンチキュラーシートとを貼り合わせてレンチキュラープリントを作成するに際し、簡易な構成により画像シートとレンチキュラーシートとを精度よく位置合わせできるようにすることを目的とする。
【課題を解決するための手段】
【０００８】
本発明による第１の画像シートは、複数のシリンドリカルレンズを平行に並べて構成されるレンチキュラーシートと貼り合わせることにより立体視または画像の変化が可能な、前記シリンドリカルレンズのそれぞれに対応する、複数の短冊状の画像からなる画像単位が複数並べられてなる合成画像が付与される画像シートであって、
前記合成画像が付与される画像領域と、
前記レンチキュラーシートとの回転方向の位置合わせを行うための少なくとも１つの第１の調整パターン、および前記レンチキュラーシートとの前記画像単位が並ぶピッチ方向の位置合わせを行うための少なくとも１つの第２の調整パターンが付与されるパターン領域とを有することを特徴とするものである。
【０００９】
「回転方向」とは、本発明による画像シートとレンチキュラーシートとを重ね合わせた場合において、画像シートおよびレンチキュラーシートの面に垂直な軸の周囲における回転方向を意味する。
【００１０】
なお、本発明による第１の画像シートにおいては、前記第１の調整パターンを、前記ピッチ方向に並ぶ複数の線分からなるものとし、前記画像単位のピッチをＰ０としたとき、前記線分のピッチＰ１を、Ｐ０＜Ｐ１＜２・Ｐ０の関係を満たすようにしてもよい。
【００１１】
この場合、前記線分のピッチＰ１を、前記画像単位のピッチＰ０の略４／３倍としてもよい。
【００１２】
また、本発明による第１の画像シートにおいては、前記第２の調整パターンを、前記画像単位の略中央の位置と対応する位置において、該画像単位と同一ピッチにて、前記ピッチ方向に並ぶ複数の線分からなるものとし、該線分の線幅を前記画像単位のピッチＰ０の略１／２倍としてもよい。
【００１３】
また、本発明による第１の画像シートにおいては、前記パターン領域を、前記画像領域の周囲に付与されてなるものとし、該画像領域の長手方向において該画像領域を挟む位置に、前記第１および前記第２の調整パターンをそれぞれ付与してもよい。
【００１４】
この場合、前記画像領域を前記長手方向と直交する方向に挟む位置に、前記第２の調整パターンを付与してもよい。
【００１５】
また、本発明による第１の画像シートにおいては、前記パターン領域を、前記画像領域の長手方向において、該画像領域を挟む２つの領域に分割されてなるものとし、該２つの領域のそれぞれに前記第１および前記第２の調整パターンを付与してもよい。
【００１６】
「パターン領域が長手方向において分割されてなる」とは、画像領域の長手方向において、一つの分割されたパターン領域、画像領域および他の分割されたパターン領域がこの順序にて並ぶことを意味する。
【００１７】
また、本発明による第１の画像シートにおいては、前記第１および前記第２の調整パターンに、それぞれ異なる色を付与してもよい。
【００１８】
本発明による第１の位置合わせ装置は、本発明による第１の画像シートと、複数のシリンドリカルレンズを平行に並べて構成されるレンチキュラーシートとの位置合わせを行う位置合わせ装置であって、
前記画像シートに重ねられた前記レンチキュラーシートにおける、前記第１の調整パターンを撮影する撮影手段と、
該撮影により取得される前記第１の調整パターン画像における前記線分の、前記画像単位が延在する方向に対する角度を検出する検出手段と、
該角度が最小となるように前記画像シートに対して前記レンチキュラーシートを回転して、前記回転方向の位置合わせを行う移動手段とを備えたことを特徴とするものである。
【００１９】
なお、本発明による第１の位置合わせ装置においては、前記撮影手段を、前記回転方向の位置合わせ後、前記画像シートに重ねられた前記レンチキュラーシートにおける、前記第２の調整パターンを撮影する手段とし、
前記検出手段を、該撮影により取得される前記第２の調整パターン画像における前記線分の濃度を検出する手段とし、
前記移動手段を、該濃度が最高となるように前記画像シートに対して前記レンチキュラーシートを前記シリンドリカルレンズのピッチ方向に移動して、前記ピッチ方向の位置合わせを行う手段としてもよい。
【００２０】
本発明による第１の位置合わせ方法は、本発明による第１の画像シートと、複数のシリンドリカルレンズを平行に並べて構成されるレンチキュラーシートとの位置合わせを行う位置合わせ方法であって、
前記画像シートに重ねられた前記レンチキュラーシートにおける、前記第１の調整パターンを撮影し、
該撮影により取得される前記第１の調整パターン画像における前記線分の、前記画像単位が延在する方向に対する角度を検出し、
該角度が最小となるように前記画像シートに対して前記レンチキュラーシートを回転して、前記回転方向の位置合わせを行うことを特徴とするものである。
【００２１】
本発明による第２の画像シートは、複数のシリンドリカルレンズを平行に並べて構成されるレンチキュラーシートと貼り合わせることにより立体視または画像の変化が可能な、前記シリンドリカルレンズのそれぞれに対応する複数の短冊状の画像からなる画像単位が複数並べられてなる合成画像が付与される画像シートであって、
前記合成画像が付与される画像領域と、
前記レンチキュラーシートとの位置合わせを行うための調整パターンが全面に付与されるパターン領域とを有することを特徴とするものである。
【００２２】
なお、本発明による第２の画像シートにおいては、前記調整パターンを、前記画像単位の略中央の位置と対応する位置において、該画像単位と同一ピッチにて、前記画像単位のピッチ方向に並ぶ複数の線分からなるものとし、該線分の線幅を前記画像単位のピッチＰ０の略１／２倍としてもよい。
【００２３】
本発明による第２の位置合わせ装置は、本発明による第２の画像シートと、複数のシリンドリカルレンズを平行に並べて構成されるレンチキュラーシートとの位置合わせを行う位置合わせ装置であって、
前記画像シートに重ねられた前記レンチキュラーシートにおける、前記調整パターンを撮影する撮影手段と、
該撮影により取得される前記調整パターン画像の高周波成分を検出する検出手段と、
該高周波成分が最小となるように前記画像シートに対して前記レンチキュラーシートを回転して、該画像シートと前記レンチキュラーシートとの回転方向の位置合わせを行う移動手段とを備えたことを特徴とするものである。
【００２４】
なお、本発明による第２の位置合わせ装置においては、前記撮影手段を、前記回転方向の位置合わせ後、前記画像シートに重ねられた前記レンチキュラーシートにおける、前記調整パターンを撮影する手段とし、
前記検出手段を、該撮影により取得される前記調整パターン画像における前記線分の濃度を検出する手段とし、
前記移動手段を、該濃度が最高となるように前記画像シートに対して前記レンチキュラーシートを前記シリンドリカルレンズのピッチ方向に移動して、該ピッチ方向の位置合わせを行う手段としてもよい。
【００２５】
本発明による第２の位置合わせ方法は、本発明による第２の画像シートと、複数のシリンドリカルレンズを平行に並べて構成されるレンチキュラーシートとの位置合わせを行う位置合わせ方法であって、
前記画像シートに重ねられた前記レンチキュラーシートにおける、前記調整パターンを撮影し、
該撮影により取得される前記調整パターン画像の高周波成分を検出し、
該高周波成分が最小となるように前記画像シートに対して前記レンチキュラーシートを回転して、該画像シートと前記レンチキュラーシートとの回転方向の位置合わせを行うことを特徴とするものである。
【発明の効果】
【００２６】
本発明の第１の画像シートによれば、パターン領域に、レンチキュラーシートとの回転方向の位置合わせを行うための少なくとも１つの第１の調整パターン、およびレンチキュラーシートとの画像単位が並ぶピッチ方向の位置合わせを行うための少なくとも１つの第２の調整パターンが付与されているため、画像シートとレンチキュラーシートとを重ね合わせて、レンチキュラーシートを通して第１および第２の調整パターンを検出することにより、画像シートとレンチキュラーシートとの回転方向およびシリンドリカルレンズが並ぶピッチ方向の位置合わせを精度よく行うことができる。また、第１および第２の調整パターンを撮影することが可能であるため、画像シートとレンチキュラーシートとの位置合わせの自動化を容易に行うことができる。
【００２７】
また、第１の調整パターンを、ピッチ方向に並ぶ複数の線分からなるものとし、シリンドリカルレンズのピッチをＰ０としたとき、線分のピッチＰ１が、Ｐ０＜Ｐ１＜２・Ｐ０の関係を満たすようにする、より好ましくは線分のピッチＰ１をシリンドリカルレンズのピッチＰ０の略４／３倍とすることにより、レンチキュラーシートを通して見られる第１の調整パターンに含まれる線分の傾きにより、画像シートとレンチキュラーシートとの回転方向の角度のずれを検出することができる。このため、検出した線分のピッチ方向に垂直な方向の傾きが０となるように、画像シートとレンチキュラーシートとを相対的に回転することにより、画像シートとレンチキュラーシートとの回転方向における位置合わせを精度よく行うことができる。
【００２８】
また、第２の調整パターンを、画像単位の略中央の位置と対応する位置において、画像単位と同一ピッチにて、ピッチ方向に並ぶ複数の線分からなるものとし、線分の線幅を画像単位のピッチＰ０の略１／２倍とすることにより、レンチキュラーシートを通して見られる第２の調整パターンに含まれる線分の濃度の変化により、画像シートとレンチキュラーシートとのピッチ方向の位置ずれを検出することができる。このため、検出した濃度が最も大きくなるように、画像シートとレンチキュラーシートとをピッチ方向に相対的に移動させることにより、画像シートとレンチキュラーシートとのピッチ方向における位置合わせを精度よく行うことができる。
【００２９】
また、パターン領域を画像領域の周囲に付与し、画像領域の長手方向において画像領域を挟む位置に、第１および第２の調整パターンをそれぞれ付与することにより、回転方向およびピッチ方向の位置合わせ精度を向上させることができる。
【００３０】
また、画像領域を長手方向と直交する方向に挟む位置に、第２の調整パターンをそれぞれ付与することにより、ピッチ方向の位置合わせ精度をより向上させることができる。
【００３１】
また、パターン領域を画像領域をその長手方向において挟む２つの領域に分割し、２つの領域のそれぞれに第１および第２の調整パターンを付与することにより、回転方向およびピッチ方向の位置合わせ精度を向上させることができる。
【００３２】
また、第１および第２の調整パターンに、それぞれ異なる色を付与することにより、第１および第２の調整パターンを撮影する際に、第１および第２の調整パターンを容易に区別できることとなるため、位置合わせの自動化をより容易に行うことができる。
【００３３】
本発明の第２の画像シートによれば、パターン領域に、レンチキュラーシートとの位置合わせを行うための調整パターンがその全面に付与されているため、画像シートとレンチキュラーシートとを重ね合わせて、レンチキュラーシートを通して調整パターンを検出することにより、画像シートとレンチキュラーシートとの位置合わせを精度よく行うことができる。また、調整パターンを撮影することが可能であるため、画像シートとレンチキュラーシートとの位置合わせの自動化を容易に行うことができる。
【００３４】
また、調整パターンを、画像単位の略中央の位置と対応する位置において、画像単位と同一ピッチにて、画像単位のピッチ方向に並ぶ複数の線分からなるものとし、線分の線幅をシリンドリカルレンズのピッチＰ０の略１／２倍とすることにより、画像シートとレンチキュラーシートとの回転方向の位置がずれていると、レンチキュラーシートを通して画像シートを見たときにモアレが発生する。また、画像シートとレンチキュラーシートとの回転方向のずれが大きいほどモアレによる高周波成分が多くなる。このため、モアレが発生しないように、すなわち高周波成分が最小となるように、画像シートとレンチキュラーシートとを相対的に回転することにより、画像シートとレンチキュラーシートとの回転方向における位置合わせを精度よく行うことができる。
【００３５】
また、レンチキュラーシートを通して見られる調整パターンに含まれる線分の濃度の変化により、画像シートとレンチキュラーシートとのピッチ方向の位置ずれを精度よく検出することができる。このため、検出した濃度が最も大きくなるように、画像シートとレンチキュラーシートとをピッチ方向に相対的に移動させることにより、画像シートとレンチキュラーシートとのピッチ方向における位置合わせを精度よく行うことができる。
【図面の簡単な説明】
【００３６】
【図１】本発明の第１の実施形態による画像シートの平面図
【図２】レンチキュラーシートの構成を示す図
【図３】合成画像および合成画像とレンチキュラーシートとの位置合わせを説明するための図
【図４】第１の調整パターンを示す図
【図５】第１の調整パターンにおける線分のピッチを説明するための図（その１）
【図６】第１の調整パターンにおける線分のピッチを説明するための図（その２）
【図７】第１の調整パターンにおける線分のピッチを説明するための図（その３）
【図８】第１の調整パターンにおける線分のピッチを説明するための図（その４）
【図９】ずれ角度の検出を説明するための図
【図１０】第２の調整パターンを示す図
【図１１】第２の調整パターンにおける線分の線幅を説明するための図（その１）
【図１２】第２の調整パターンにおける線分の線幅を説明するための図（その２）
【図１３】シリンドリカルレンズの緒元を説明するための図
【図１４】本実施形態において使用する２種類のシリンドリカルレンズの緒元を示す図
【図１５】本実施形態における位置合わせ装置の構成を示す概略斜視図
【図１６】図１５におけるＩ−Ｉ線断面図
【図１７】図１５におけるＡ方向矢視図
【図１８】剥離シートを示す図
【図１９】第１の実施形態おいて、位置合わせ装置が行う位置合わせ処理のフローチャート（その１）
【図２０】第１の実施形態おいて、位置合わせ装置が行う位置合わせ処理のフローチャート（その２）
【図２１】ピンの移動を説明するための図（その１）
【図２２】ピンの移動を説明するための図（その２）
【図２３】パターン領域の他の態様を平面図
【図２４】本発明の第２の実施形態による画像シートの平面図
【図２５】第２の実施形態において、位置合わせ装置が行う位置合わせ処理のフローチャート
【図２６】モアレを示す図
【発明を実施するための形態】
【００３７】
以下、図面を参照して本発明の実施形態について説明する。図１は本発明の第１の実施形態による画像シートの平面図である。図１に示すように、第１の実施形態による画像シート１は、立体視またはチェンジングを行うためにレンチキュラーシートと貼り合わせてレンチキュラープリントを形成するためのものであり、後述する合成画像がプリントされる画像領域２、および画像領域２の周囲に設けられたパターン領域３を有する。パターン領域３には、画像シート１とレンチキュラーシートとの位置合わせを行うための、２つの第１の調整パターン３１および４つの第２の調整パターン３２がプリント等されることにより配置されている。第１および第２の調整パターン３１，３２については後述する。
【００３８】
図２はレンチキュラーシートの構成を示す図である。図２に示すようにレンチキュラーシート１１は、所定幅を有する概略半円筒状のシリンドリカルレンズ１２を複数並べて構成されるものであり、シリンドリカルレンズ１２の凸部が並ぶ表面と、このような凸部を有さない平坦な裏面１３とを有する。
【００３９】
図３は合成画像および合成画像とレンチキュラーシートとの位置合わせを説明するための図である。なお、以降の説明においては、合成画像は立体視を行うためのものとして説明するが、チェンジングを行うためのものであってもよい。図３に示すように合成画像Ｇ０は、複数の撮影部を有する多眼撮影装置の各撮影部において取得された複数の画像を、垂直方向に短冊状に切り取って交互に配置することにより生成されてなるものである。例えば、多眼撮影装置が３つの撮像部を有し、３つの撮影部により取得される画像をそれぞれＳ１，Ｓ２，Ｓ３とすると、合成画像Ｇ０は図３に示すように３つの画像Ｓ１〜Ｓ３を短冊状に切り取ることにより得られる短冊状のパターンＧ１〜Ｇ３を交互に繰り返し配置することにより生成される。
【００４０】
なお、３つのパターンＧ１〜Ｇ３が、レンチキュラーシート１１の１つのシリンドリカルレンズ１２に対応する１つの画像単位Ｔ０となる。また、短冊状のパターンＧ１〜Ｇ３からなる１つの画像単位Ｔ０は、その幅がレンチキュラーシート１１におけるシリンドリカルレンズ１２の幅と一致するように生成される。また、３つの短冊状のパターンＧ１〜Ｇ３、すなわち画像単位Ｔ０の長手方向は、シリンドリカルレンズ１２の長手方向と一致する。
【００４１】
そして合成画像Ｇ０を画像領域２に、第１および第２の調整パターン３１，３２をパターン領域３にそれぞれプリントすることにより、画像シート１が作成される。
【００４２】
さらに、合成画像Ｇ０における１つの画像単位Ｔ０の長手方向とシリンドリカルレンズ１２の長手方向とを一致させることにより回転方向の位置合わせを行い、さらにレンチキュラーシート１１における１つのシリンドリカルレンズ１２の幅内に収まるようにピッチ方向の位置合わせを行った後に、レンチキュラーシート１１と画像シート１とを貼り合わせてレンチキュラープリントを作成するものある。
【００４３】
次いで、位置合わせを行うための第１および第２の調整パターン３１，３２について説明する。まず第１の調整パターン３１について説明する。図４は第１の調整パターン３１を示す図である。第１の調整パターン３１は、画像シート１とレンチキュラーシート１１との回転方向の位置合わせを行うためのものである。なお、回転方向とは、画像シート１とレンチキュラーシート１１とを重ね合わせた状態において、画像シート１およびレンチキュラーシート１１の面に垂直な軸の周囲における回転方向を意味する。図４に示すように第１の調整パターン３１は、あらかじめ定められた色（例えば青）を有する枠Ｗ１、および合成画像Ｇ０における画像単位Ｔ０のピッチ方向に並ぶ複数の線分Ｌ１からなる。ここで、ピッチ方向とは、画像単位Ｔ０およびシリンドリカルレンズ１２が並ぶ方向（すなわち画像単位Ｔ０およびシリンドリカルレンズ１２の長手方向に垂直な方向）である。
【００４４】
複数の線分Ｌ１は、所定のピッチＰ１により配列されている。ここで、画像単位Ｔ０のピッチをＰ０としたとき、Ｐ０＜Ｐ１＜２・Ｐ０の関係を満たすように、好ましくはピッチＰ１がＰ０の略４／３倍となるように線分Ｌ１が配置されている。以下、線分Ｌ１のピッチＰ１について説明する。
【００４５】
図５〜図８は第１の調整パターン３１における線分Ｌ１のピッチを説明するための図である。なお、図５〜図８においては説明を容易にするために、画像単位Ｔ０は６つの短冊状のパターンＧ１〜Ｇ６からなり、画像シート１とレンチキュラーシート１１との回転方向の位置は合っていないものとする。また、図５〜図８において、左側の図における縦方向は画像単位Ｔ０およびシリンドリカルレンズ１２の長手方向であり、実線が画像単位Ｔ０の区切り、破線が画像単位Ｔ０内におけるパターンの区切りを表す。また、グレー部分が線分Ｌ１の線幅を表す。また、右側の図は、画像シート１とレンチキュラーシート１１とを重ねた状態において、レンチキュラーシート１１を通して第１の調整パターン３１を撮影することにより取得されるパターン画像である。
【００４６】
まず図５および図６に示すように、線分Ｌ１のピッチＰ１を画像単位Ｔ０のピッチＰ０の４／３倍とした場合、線分Ｌ１の線幅に拘わらず、パターン画像において、画像シート１とレンチキュラーシート１１との回転方向のずれ角度に応じた傾きを有する線分が現れる。なお、線幅は１／６・Ｐ０〜７／６・Ｐ０まで変更が可能である。ここで、図９に示すように、パターン画像において現れる線分の垂直方向（すなわち画像単位Ｔ０の長手方向）に対する角度が、画像シート１に対するレンチキュラーシート１１の回転方向のずれ角度を表すものである。すなわち、図９に示すように、画像シート１に対してレンチキュラーシート１１が反時計回り方向に−θ度回転している場合、第１の調整パターン３１のパターン画像においては、線分Ｌ１が垂直方向に対して−θ度回転する。逆に、画像シート１に対してレンチキュラーシート１１が時計回り方向にθ度回転している場合、第１の調整パターン３１のパターン画像においては、線分Ｌ１がその垂直方向に対してθ度回転する。したがって、線分Ｌ１のピッチＰ１を画像単位Ｔ０のピッチＰ０の４／３倍とした場合、線幅に係わらず、線分Ｌ１の傾きにより、画像シート１とレンチキュラーシート１１との回転方向のずれ角度を検出することができる。
【００４７】
一方、図７に示すように、線分Ｌ１のピッチＰ１を画像単位Ｔ０のピッチＰ０の２／３とした場合、ピッチが細かすぎてパターン画像において線分を検出できない。また、線分Ｌ１のピッチＰ１を画像単位Ｔ０のピッチＰ０と一致させた場合、モアレが現れるのみとなる。また、図８に示すように、線分Ｌ１のピッチＰ１を画像単位Ｔ０のピッチＰ０の２倍よりも大きくすると、線分Ｌ１の傾きを検出できないこととなる。
【００４８】
したがって、第１の実施形態においては、画像単位Ｔ０のピッチをＰ０としたとき、Ｐ０＜Ｐ１＜２・Ｐ０の関係を満たすように、好ましくはピッチＰ１がＰ０の略４／３倍となるように線分Ｌ１を配置して第１の調整パターン３１を形成する。
【００４９】
なお、第１の調整パターン３１は、１つのみ配置してもよく、３以上配置してもよい。ここで、第１の調整パターン３１は、画像シート１とレンチキュラーシート１１との回転方向のずれを検出するためのものであるため、できるだけ離れて配置されることが好ましい。したがって、本実施形態においては、図１に示すように、画像領域２の長手方向において、画像領域２を挟む位置に２つの第１の調整パターン３１を配置している。なお、第１の調整パターン３１を画像領域２の短軸方向に配置してもよい。
【００５０】
また、画像シート１に対するレンチキュラーシート１１の回転方向のずれ角度の検出は、第１の調整パターン３１のパターン画像を解析することにより求めてもよいが、目視にてずれ角度を確認することも可能である。
【００５１】
次いで、第２の調整パターン３２について説明する。図１０は第２の調整パターン３２を示す図である。第２の調整パターン３２は、画像シート１とレンチキュラーシート１１とのピッチ方向の位置合わせを行うためのものである。図１０に示すように第２の調整パターン３２は、第１の調整パターン３１とは異なる色（例えば黄色）を有する枠Ｗ２、および合成画像Ｇ０における画像単位Ｔ０のピッチ方向に並ぶ複数の線分Ｌ２からなる。
【００５２】
複数の線分Ｌ２は、画像単位Ｔ０およびシリンドリカルレンズ１２と同一のピッチを持って配列されている。また、線分Ｌ２の中心線は、合成画像Ｇ０における画像単位Ｔ０の中心線と一致する位置にある。なお、図１における画像領域２の左右にある第２の調整パターン３２においては、仮想的に合成画像Ｇ０が存在するものとして、線分Ｌ２の中心線と、仮想的に存在する合成画像Ｇ０における画像単位Ｔ０の中心線とが一致するものとなっている。また、画像単位Ｔ０のピッチをＰ０としたとき、線分Ｌ２の線幅はピッチＰ０の略１／２倍となっている。以下、線分Ｌ２の線幅について説明する。
【００５３】
図１１および図１２は第２の調整パターン３２における線分Ｌ２の線幅を説明するための図である。なお、図１１および図１２においては、説明のために画像単位Ｔ０はそれぞれ６つおよび７つの短冊状のパターンからなるものとする。また、図１１および図１２において、左側の図における縦方向は画像単位Ｔ０およびシリンドリカルレンズ１２の長手方向であり、実線が画像単位Ｔ０の区切り、破線が画像単位Ｔ０内におけるパターンの区切りを表す。また、グレー部分が線分Ｌ２の線幅を表す。また、右側の図は、画像シート１とレンチキュラーシート１１とを重ねた状態において、レンチキュラーシート１１を画像シート１に対してピッチ方向に移動した際における、レンチキュラーシート１１を通して見た第２の調整パターン３２の部分の濃度変化を示すグラフである。なお、濃度変化を示すグラフにおいて、横軸はピッチ方向の移動量を、縦軸は濃度を示す。
【００５４】
まず、図１１に示すように画像単位Ｔ０が６つのパターンからなる場合、線幅は１／３・Ｐ０および２／３・Ｐ０に変更が可能であり、いずれの場合も、レンチキュラーシート１１を画像シート１に対してピッチ方向に移動した場合、第２の調整パターン３２において濃度のピークを有する位置を確認できるが、濃度の変化は線幅が１／３・Ｐ０の方が大きくなる。
【００５５】
また、図１２に示すように画像単位Ｔ０が７つのパターンからなる場合、線幅は１／７・Ｐ０、３／７・Ｐ０および５／７・Ｐ０に変更が可能であり、いずれの場合も、レンチキュラーシート１１を画像シート１に対してピッチ方向に移動した場合、第２の調整パターン３２において濃度のピークを有する位置を確認できるが、濃度の変化は線幅が３／７・Ｐ０の場合が最も大きくなる。
【００５６】
したがって、第２の調整パターン３２においては、線分Ｌ２の線幅をいかように変更しても、レンチキュラーシート１１を通して見た線分Ｌ２の濃度の変化により、画像シート１とレンチキュラーシート１１とのピッチ方向の位置ずれを検出することができるが、図１１および図１２に示すように、線分Ｌ２の線幅を画像単位Ｔ０のピッチＰ０の略１／２とすることにより、ピッチ方向の位置ずれに応じた濃度の変化が顕著に現れるため、画像シート１に対するレンチキュラーシート１１のピッチ方向のずれを精度よく検出することができる。
【００５７】
なお、画像シート１に対するレンチキュラーシート１１のピッチ方向のずれの検出は、第２の調整パターン３２のパターン画像を解析することにより求めてもよいが、濃度の変化を目視にて確認することも可能である。
【００５８】
ここで、本実施形態において使用するレンチキュラーシート１１におけるシリンドリカルレンズ１２の緒元について説明する。図１３はシリンドリカルレンズ１２の緒元を説明するための図である。図１３において、Ｒ１，Ｒ２はシリンドリカルレンズ１２の前面および後面における曲率半径、Ｄはシリンドリカルレンズ１２の高さ、ｆは焦点距離、Δ′は主点から後面までの距離、Ｂｆはバックフォーカス、Ｘ１は光軸である。
【００５９】
（削除いたしました）
図１４は本実施形態において使用する２種類のシリンドリカルレンズＡ，Ｂの緒元を示す図である。なお、レンズＡ，Ｂともレンズのピッチは０．２５４ｍｍである。なお、本実施形態においては、このような緒元を有するシリンドリカルレンズ１２を備えたレンチキュラーシート１１のみならず、各種緒元のシリンドリカルレンズ１２を備えたレンチキュラーシート１１を使用可能であることはもちろんである。また、シリンドリカルレンズ１２の緒元に応じて、第１および第２の調整パターン３１，３２のピッチおよび線幅を変更することも可能である。
【００６０】
次いで、第１の実施形態による画像シート１とレンチキュラーシート１１との位置合わせを行う位置合わせ装置について説明する。図１５は本実施形態における位置合わせ装置の構成を示す概略斜視図、図１６は図１５におけるＩ−Ｉ線断面図、図１７は図１５におけるＡ方向矢視図である。図１５〜図１７に示すように、本実施形態による位置合わせ装置４０は、支持台４１、補助台４２、側面支持部材４３、調整モータ４４Ａ，４４Ｂ、クランプ４５Ａ〜４５Ｄ、カメラ４６Ａ〜４６Ｄ、透明支持部材４７、および制御部５０を備える。
【００６１】
支持台４１は、互いに重ね合わせられた画像シート１およびレンチキュラーシート１１を、ピッチ方向とｘ方向とを一致させてこの順序にて載置するためのものである。また、支持台４１の表面には、位置合わせ時において画像シート１が支持台４１に対して移動しないよう、画像シート１と支持台４１との摩擦力を高めるシリコンシート５１が貼付されている。なお、レンチキュラーシート１１の上には、レンチキュラーシート１１を画像シート１に対して移動させるための透明支持部材４７が載置される。
【００６２】
透明支持部材４７は、レンチキュラーシート１１と同一サイズの透明の板状部材からなる。なお、透明支持部材４７に代えて、第１および第２の調整パターン３１，３２の部分に開口部または切り欠きが形成された不透明の板状部材を用いてもよい。また、板状の部材のみならず、後述するように画像シート１に対してレンチキュラーシート１１を移動できれば、公知の任意の部材を用いることができる。また、透明支持部材４７の下面には、位置合わせ時において透明支持部材４７がレンチキュラーシート１１に対して移動しないよう、透明支持部材４７とレンチキュラーシート１１との摩擦力を高める透明のシリコンシート５２が貼付されている。ここで、シリコンシート５２を貼付した透明支持部材４７とレンチキュラーシート１１との摩擦係数ｆ１、およびシリコンシート５１を貼付した支持台４１と画像シート１との摩擦係数ｆ２を本出願人が測定したところ、ｆ１，ｆ２ともに略１であった。なお、シリコンシート５１，５２のみならず、摩擦力を高めることが可能な公知の任意の材料を用いることが可能である。なお、レンチキュラーシート１１はアクリル樹脂からなる。
【００６３】
一方、レンチキュラーシート１１の裏面には、レンチキュラーシート１１を画像シート１に接着するための透明な接着剤が接着層として付与されており、さらに接着層を保護するための２枚の剥離シート１４Ａ，１４Ｂが貼付されている。図１８は剥離シートを示す図である。図１８に示すように、剥離シート１４Ａは図１８の上下方向において剥離シート１４Ｂよりも短く形成されている。
【００６４】
ここで、剥離シート１４Ａ，１４Ｂおよび画像シート１は双方とも紙であり、本出願による剥離シート１４Ａ，１４Ｂと画像シート１との間の摩擦係数ｆ３を測定したところ略０．３であった。したがって、摩擦係数ｆ１〜ｆ３の関係はｆ３＜ｆ１，ｆ２となっている。
【００６５】
補助台４２は、位置合わせ時においては図１５〜図１７に示すように画像シート１を支持する支持位置に移動することにより、支持台４１とともに画像シート１を支持する。一方、位置合わせ後は、不図示の移動機構により、支持位置から退避して支持台４１から離れた退避位置に移動する。
【００６６】
側面支持部材４３は、一端が不図示の基部に固定されたバネ４８Ａ，４８Ｂの他端が取り付けられており、不図示の移動機構により、支持台４１に載置された透明支持部材４７の一側面（図１７における左側側面）に当接するよう移動し、透明支持部材４７を図１５における＋ｘ方向に付勢する。ここで、透明支持部材４７にはその下面にシリコンシート５２が貼付されており、上述したようにシリコンシート５２を貼付した透明支持部材４７とレンチキュラーシート１１との摩擦係数ｆ１、および支持台４１と画像シート１との摩擦係数ｆ２は、剥離シート１４Ａ，１４Ｂと画像シート１との摩擦係数ｆ３よりも大きくなっている。このため、透明支持部材４７を＋ｘ方向に付勢すると、透明支持部材４７とともにレンチキュラーシート１１も＋ｘ方向に付勢される。
【００６７】
調整モータ４４Ａ，４４Ｂはステッピングモータからなり、制御部５０によりその駆動が制御され、回転方向に応じてピン４９Ａ，４９Ｂがｘ軸方向に往復移動する。ピン４９Ａ，４９Ｂは、側面支持部材４３により＋ｘ方向に付勢された透明支持部材４７の他側面（図１７における右側側面）に当接している。ここで、透明支持部材４７にはその下面にシリコンシート５２が貼付されており、上述したようにシリコンシート５２を貼付した透明支持部材４７とレンチキュラーシート１１との摩擦係数ｆ１、および支持台４１と画像シート１との摩擦係数ｆ２は、剥離シート１４Ａ，１４Ｂ、すなわちレンチキュラーシート１１と画像シート１との摩擦係数ｆ３よりも大きい。このため、ピン４９Ａ，４９Ｂを同時に同じ方向に移動させると、画像シート１は支持台４１に対してずれることなく、透明支持部材４７がレンチキュラーシート１１とともに、画像シート１に対してピン４９Ａ，４９Ｂの移動方向と同一方向に移動する。また、ピン４９Ａ，４９Ｂのいずれか一方のみ、またはピン４９Ａ，４９Ｂを同時に異なる方向に移動させると、画像シート１は支持台４１に対してずれることなく、透明支持部材４７はレンチキュラーシート１１とともに、画像シート１に対してｚ軸の周囲に回転する。
【００６８】
クランプ４５Ａ〜４５Ｄは、不図示の移動機構により、支持台４１の上方においてｚ方向に往復移動可能とされており、位置合わせ後に透明支持部材４７を下方に押圧し、レンチキュラーシート１１が画像シート１に対してずれないように、画像シート１とレンチキュラーシート１１とを支持台４１に対して固定するためのもである。
【００６９】
カメラ４６Ａ〜４６Ｄは、画像シート１のパターン領域３に配置された第１および第２の調整パターン３１，３２を撮影し、そのパターン画像の画像データを制御部５０に出力するためのものであり、不図示の移動機構により、図１５における透明支持部材４７の上方において、ｘ方向およびｙ方向に２次元的に移動可能とされている。なお、カメラ４６Ａ，４６Ｂは、図１における画像領域２の長手方向に配置された第１および第２の調整パターン３１，３２をそれぞれ撮影し、カメラ４６Ｃ，４６Ｄは図１における画像領域２の短手方向に配置された第２の調整パターン３２を撮影する。
【００７０】
制御部５０は、不図示の入力部および表示部等を備え、第１および第２の調整パターン３１，３２のパターン画像を解析して、位置合わせ装置１の各部の駆動の制御を行う。
【００７１】
次いで、本実施形態による位置合わせ装置の動作について説明する。図１９および図２０本実施形態おいて、位置合わせ装置１が行う位置合わせ処理のフローチャートである。なお、補助台４２は支持位置に移動しており、画像シート１およびレンチキュラーシート１１はある程度位置合わせされて重ね合わせられて、剥離シート１４Ａを補助台４２側に向けて支持台４１および補助台４２に載置され、その上に透明支持部材４７が載置されているものとする。また、側面支持部材４３は、透明支持部材４７の一側面に当接して透明支持部材４７をｘ方向に付勢し、調整モータ４４Ａ，４４Ｂのピン４９Ａ，４９Ｂは、透明支持部材４７の他側面にそれぞれ当接しているものとする。
【００７２】
まず、制御部５０は、カメラ４６Ａ，４６Ｂを、画像シート１における第１の調整パターン３１上に移動して、第１の調整パターン３１の撮影を行い、第１の調整パターン３１のパターン画像を取得する（ステップＳＴ１）。なお、第１の調整パターン３１は画像シート１の２箇所に配置されているため、２つのパターン画像が取得されることとなる。また、この際、制御部５０はカメラ４６Ａ，４６Ｂを移動しつつ順次撮影を行い、パターン画像から青色の枠を検出し、青色の枠を検出した位置において撮影を行うことにより、第１の調整パターン３１のパターン画像を取得することができる。
【００７３】
制御部５０は、第１の調整パターン３１の２つのパターン画像（ＳＧ１−１，ＳＧ１−２とする）から、線分Ｌ１の像を検出し、上述したように線分Ｌ１のずれ角度θを検出する（ステップＳＴ２）。そして、パターン画像ＳＧ１−１，ＳＧ１−２ともに、ずれ角度θが０となったか否かを判定し（ステップＳＴ３）、ステップＳＴ３が否定されると、ずれ角度θに応じて調整モータ４４Ａ，４４Ｂを駆動することによりピン４９Ａ，４９Ｂの位置を変更してレンチキュラーシート１１を画像シート１に対して所定量回転し（ステップＳＴ４）、ステップＳＴ１に戻り、ステップＳＴ１以降の処理を繰り返す。
【００７４】
図２１および図２２はピン４９Ａ，４９Ｂの移動を説明するための図である。なお、図２１および図２２におけるｘ方向およびｙ方向は図１５のｘ方向およびｙ方向と一致する。また、図２１および図２２においては、説明を容易にするために、ピン４９Ａ，４９Ｂの繰り出し量を実際よりも大きく示している。図２１に示すように、第１の調整パターン３１のパターン画像ＳＧ１−１，ＳＧ１−２において、線分Ｌ１がそのｙ軸方向に対して−θ回転している場合、画像シート１に対してレンチキュラーシート１１が反時計回り方向に−θ回転している。このため、制御部５０は、ピン４９Ａを繰り戻し、ピン４９Ｂを繰り出すように、調整モータ４４Ａ，４４Ｂを駆動する。なお、ピン４９Ａのみを繰り戻す、あるいはピン４９Ｂのみを繰り出すようにしてもよい。
【００７５】
逆に図２２に示すように、第１の調整パターン３１のパターン画像ＳＧ１−１，ＳＧ１−２において、線分Ｌ１がｙ軸方向に対してθ回転している場合、画像シート１に対してレンチキュラーシート１１が時計回り方向にθ回転している。このため、制御部５０は、ピン４９Ａを繰り出し、ピン４９Ｂを繰り戻すように、調整モータ４４Ａ，４４Ｂを駆動する。なお、ピン４９Ａのみを繰り出す、あるいはピン４９Ｂのみを繰り戻すようにしてもよい。
【００７６】
ステップＳＴ３が肯定されると、画像シート１とレンチキュラーシート１１との回転方向の位置合わせが完了したことから、制御部５０はカメラ４６Ａ〜４６Ｄを第２の調整パターン３２の位置に移動して、カメラ４６Ａ〜４６Ｄにより第２の調整パターン３２の撮影を行い、第２の調整パターン３２のパターン画像を取得する（ステップＳＴ５）。なお、第２の調整パターン３２は画像シート１の４箇所に配置されているため、４つのパターン画像が取得されることとなる。また、この際、制御部５０はカメラ４６Ａ〜４６Ｄを移動しつつ順次撮影を行い、パターン画像から黄色の枠を検出し、黄色の枠を検出した位置において撮影を行うことにより、第２の調整パターン３２のパターン画像を取得することができる。
【００７７】
制御部５０は、第２の調整パターン３２の４つのパターン画像（ＳＧ２−１，ＳＧ２−２，ＳＧ２−４，ＳＧ２−４とする）の濃度の合計値を算出する（ステップＳＴ６）。そして、ピン４９Ａ，４９Ｂを同時にピッチ方向における所定方向（例えば図１５における＋ｘ方向）に所定量移動することにより、レンチキュラーシート１１を画像シート１に対して所定方向に移動し（ステップＳＴ７）、さらに第２の調整パターン３２のパターン画像を取得し（ステップＳＴ８）、その濃度の合計値を算出する（ステップＳＴ９）。
【００７８】
そして、濃度の合計値が前回の濃度の合計値よりも大きいか否かを判定し（ステップＳＴ１０）、ステップＳＴ１０が肯定されると、ピン４９Ａ，４９Ｂの双方を所定方向に所定量移動してレンチキュラーシート１１を画像シート１に対して所定方向に移動し（ステップＳＴ１１）、ステップＳＴ８に戻り、ステップＳＴ８以降の処理を繰り返す。一方、ステップＳＴ１０が否定されると、ピン４９Ａ，４９Ｂの双方を所定方向とは逆方向に所定量移動してレンチキュラーシート１１を画像シート１に対して所定方向とは逆方向に移動する（ステップＳＴ１２）。さらに制御部５０は、第２の調整パターン３２のパターン画像を取得し（ステップＳＴ１３）、その濃度の合計値を算出する（ステップＳＴ１４）。そして、濃度の合計値が前回の濃度の合計値よりも大きいか否かを判定し（ステップＳＴ１５）、ステップＳＴ１５が肯定されると、ピン４９Ａ，４９Ｂの双方を所定方向とは逆方向に所定量移動してレンチキュラーシート１１を画像シート１に対して所定方向とは逆方向に移動し（ステップＳＴ１６）、ステップＳＴ１３に戻り、ステップＳＴ１３以降の処理を繰り返す。一方、ステップＳＴ１５が否定されると、ピン４９Ａ，４９Ｂの双方を所定方向に所定量移動してレンチキュラーシート１１を画像シート１に対して所定方向に移動する（ステップＳＴ１７）。これにより、画像シート１とレンチキュラーシート１１とのピッチ方向の位置合わせが完了する。
【００７９】
次いで、制御部５０は、クランプ４５Ａ〜４５Ｄを下方に移動して透明支持部材４７を下方に押圧することにより、画像シート１とレンチキュラーシート１１とを支持台４１に固定し（ステップＳＴ１８）、補助台４２を支持位置から退避位置に退避させる（ステップＳＴ１９）。この状態において、補助台４２の位置にあった画像シート１を下方に若干傾ければ、レンチキュラーシート１１の剥離シート１４Ａと剥離シート１４Ｂとの境界部分が露呈するため、剥離シート１４Ａを剥がして、画像シート１とレンチキュラーシート１１の一部とを貼り合わせることにより、画像シート１とレンチキュラーシート１１とを仮固定することができる。この際、画像シート１とレンチキュラーシート１１とは支持台１に固定されているため、画像シート１とレンチキュラーシート１１とがずれることはない。
【００８０】
そして、制御部５０は、画像シート１とレンチキュラーシート１１との固定解除の指示がなされたか否かの監視を開始し（ステップＳＴ２０）、ステップＳＴ２０が肯定されると、クランプ４５Ａ〜４５Ｄを上方に移動して、画像シート１およびレンチキュラーシート１１の支持台４１への固定を解除し（ステップＳＴ２１）、処理を終了する。
【００８１】
作業者はこの状態において、支持台４１から画像シート１、レンチキュラーシート１１および透明支持部材４７を取り外し、さらに透明支持部材４７を画像シート１およびレンチキュラーシート１１から分離し、その後、レンチキュラーシート１１における剥離シート１４Ｂを剥がして、画像シート１とレンチキュラーシート１１とを完全に貼り合わせる。この際、画像シート１とレンチキュラーシート１１とは一部が接着されているため、画像シート１とレンチキュラーシート１１との位置ずれは起こらないこととなる。
【００８２】
そして、このように画像シート１とレンチキュラーシート１１とを貼り合わせた後、画像シートのパターン領域３に対応する部分を切断することにより、レンチキュラープリントの作成を完了する。
【００８３】
このように、第１の実施形態においては、画像シート１のパターン領域３に、レンチキュラーシート１１との回転方向の位置合わせを行うための第１の調整パターン３１、およびレンチキュラーシートとの画像単位Ｔ０が並ぶピッチ方向の位置合わせを行うための第２の調整パターン３２が付与されているため、画像シート１とレンチキュラーシート１１とを重ね合わせて、レンチキュラーシート１１を通して第１および第２の調整パターン３１，３２を検出することにより、画像シート１とレンチキュラーシート１１との回転方向およびピッチ方向の位置合わせを精度よく行うことができる。また、第１および第２の調整パターン３１，３２を撮影することが可能であるため、画像シート１とレンチキュラーシート１１との位置合わせの自動化を容易に行うことができる。
【００８４】
また、第１の調整パターン３１を、ピッチ方向に並ぶ複数の線分Ｌ１からなるものとし、シリンドリカルレンズのピッチをＰ０としたとき、線分のピッチＰ１が、Ｐ０＜Ｐ１＜２・Ｐ０の関係を満たす、より好ましくは線分のピッチＰ１をシリンドリカルレンズのピッチＰ０の略４／３倍とすることにより、レンチキュラーシート１１を通して見られる第１の調整パターン３１に含まれる線分Ｌ１の傾きにより、画像シート１とレンチキュラーシート１１との回転方向の角度のずれを検出することができる。このため、検出した線分のピッチ方向に垂直な方向の傾きが０となるように、画像シート１とレンチキュラーシート１１とを相対的に回転することにより、画像シート１とレンチキュラーシート１１との回転方向における位置合わせを精度よく行うことができる。
【００８５】
また、第２の調整パターン３２を、画像単位Ｔ０の略中央の位置と対応する位置において、画像単位Ｔ０と同一ピッチにて、ピッチ方向に並ぶ複数の線分Ｌ２からなるものとし、線分Ｌ２の線幅を画像単位Ｔ０のピッチＰ０の略１／２倍とすることにより、レンチキュラーシート１１を通して見られる第２の調整パターン３１に含まれる線分の濃度の変化により、画像シート１とレンチキュラーシート１１とのピッチ方向の位置ずれを検出することができる。このため、検出した濃度が最も大きくなるように、画像シート１とレンチキュラーシート１１とをピッチ方向に相対的に移動させることにより、画像シート１とレンチキュラーシート１１とのピッチ方向における位置合わせを精度よく行うことができる。
【００８６】
また、パターン領域３を画像領域２の周囲に付与し、画像領域２の長手方向において画像領域２を挟む位置に、第１および第２の調整パターン３１，３２をそれぞれ付与することにより、回転方向およびピッチ方向の位置合わせ精度を向上させることができる。
【００８７】
また、画像領域２を長手方向と直交する方向に挟む位置に、第２の調整パターン３２をそれぞれ付与することにより、ピッチ方向の位置合わせ精度をより向上させることができる。
【００８８】
また、第１および第２の調整パターン３１，３２にそれぞれ異なる色を付与することにより、第１および第２の調整パターン３１，３２を撮影する際に、第１および第２の調整パターン３１，３２を容易に区別できることとなるため、位置合わせの自動化をより容易に行うことができる。
【００８９】
なお、上記実施形態においては、画像シート１における画像領域２の周囲にパターン領域を設けているが、図２３に示すように、画像領域２を挟むようにパターン領域３を２つに分けて設けるようにしてもよい。この場合、２つのパターン領域３を画像領域２の長手方向において画像領域２を挟むように設け、２つのパターン領域３のそれぞれに、第１および第２の調整パターン３１，３２を配置することが好ましい。これにより、レンチキュラープリントの作成時に、切り取ることにより廃棄する領域を少なくすることができる。
【００９０】
また、上記実施形態においては、２つの第１の調整パターン３１および４つの第２の調整パターン３２を配置しているが、位置合わせ精度は落ちるものの、第１および第２の調整パターン３１，３２は少なくとも１つ配置すればよいものである。
【００９１】
また、上記実施形態においては、位置合わせ装置４０において第１および第２の調整パターン３１，３２を撮影し、撮影により取得されたパターン画像を解析することにより画像シート１とレンチキュラーシート１１との位置合わせを行っているが、作業者が目視により第１および第２の調整パターン３１，３２を確認して、画像シート１とレンチキュラーシート１１との位置合わせを行うようにしてもよい。また、レンチキュラーシート１１ンの移動を、作業者が手動で行うようにしてもよい。
【００９２】
また、上記実施形態においては、位置合わせ装置４０において、位置合わせ後に作業者が剥離シート１４Ａ，１４Ｂを剥がして画像シート１とレンチキュラーシート１１とを接着しているが、剥離シート１４Ａ，１４Ｂを剥がすための機構を設け、自動で剥離シート１４Ａ，１４Ｂを剥がすようにしてもよい。
【００９３】
また、上記実施形態においては、第１および第２の調整パターン３１，３２に枠Ｗ１，Ｗ２を付与し、枠Ｗ１，Ｗ２に色を付与しているが、枠Ｗ１，Ｗ２を付与することなく、線分Ｌ１，Ｌ２の背景に色を付与してもよく、線分Ｌ１，Ｌ２に色を付与してもよい。また、第１および第２の調整パターン３１，３２に色を付与しないようにしてもよい。
【００９４】
次いで、本発明の第２の実施形態について説明する。図２４は本発明の第２の実施形態による画像シートの平面図である。なお、第２の実施形態において第１の実施形態と同一の構成については同一の参照番号を付与し、ここでは詳細な説明は省略する。第２の実施形態による画像シート１Ａは、パターン領域３の全域に第２の調整パターン３２における線分Ｌ２と同一ピッチの線分を調整パターン３３として配置した点が第１の実施形態と異なる。なお、調整パターン３３の線分の中心線は、合成画像Ｇ０の画像単位Ｔ０の中心線と一致している。
【００９５】
次いで、第２の実施形態による画像シート１Ａとレンチキュラーシート１１との位置合わせについて説明する。なお、第２の実施形態による画像シート１Ａとレンチキュラーシート１１との位置合わせを行う位置合わせ装置は、図１５から図１７に示す位置合わせ装置において、１台のカメラのみを使用する点が異なるのみであるため、装置の構成についての詳細な説明は省略する。図２５は第２の実施形態による画像シート１Ａを用いて、位置合わせ装置１が行う位置合わせ処理のフローチャートである。なお、第２の実施形態においては、使用するカメラはカメラ４６Ａのみとする。
【００９６】
まず、制御部５０は、カメラ４６Ａを、画像シート１Ａにおけるパターン領域３上の所定位置に移動して、調整パターン３３の撮影を行い、調整パターン３３のパターン画像を取得する（ステップＳＴ３１）。次いで制御部５０は、調整パターン３３のパターン画像の高周波成分を抽出する（ステップＳＴ３２）。高周波成分の抽出の処理としては、ハイパスフィルタによるフィルタリング処理、フーリエ変換およびウェーブレット変換等の公知の処理を用いることができる。ここで、画像シート１Ａとレンチキュラーシート１１との回転方向の位置がずれていると、レンチキュラーシート１１を通して見たパターン領域３に、図２６に示すようにモアレが生じることとなる。ここでパターン画像においては、ずれ角度が大きいほどモアレによる高周波成分が大きくなる。このため、制御部５０は、調整モータ４４Ａ，４４Ｂを駆動することによりピン４９Ａ，４９Ｂの位置を変更してレンチキュラーシート１１を画像シート１Ａに対して所定方向に所定量回転し（ステップＳＴ３３）、さらに調整パターン３３のパターン画像を取得して（ステップＳＴ３４）、調整パターン３３のパターン画像の高周波成分を抽出する（ステップＳＴ３５）。
【００９７】
そして、高周波成分が前回の高周波成分よりも小さいか否かを判定し（ステップＳＴ３６）、ステップＳＴ３６が肯定されると、ピン４９Ａ，４９Ｂを移動してレンチキュラーシート１１を画像シート１に対して所定方向に所定量回転し（ステップＳＴ３７）、ステップＳＴ３４に戻り、ステップＳＴ３４以降の処理を繰り返す。一方、ステップＳＴ３６が否定されると、ピン４９Ａ，４９Ｂを駆動してレンチキュラーシート１１を画像シート１に対して所定方向とは逆方向に所定量回転する（ステップＳＴ３８）。さらに制御部５０は、調整パターン３３のパターン画像を取得して（ステップＳＴ３９）、調整パターン３３のパターン画像の高周波成分を抽出する（ステップＳＴ４０）。そして、高周波成分が前回の高周波成分よりも小さいか否かを判定し（ステップＳＴ４１）、ステップＳＴ４１が肯定されると、ピン４９Ａ，４９Ｂを移動してレンチキュラーシート１１を画像シート１に対して所定方向とは逆方向に所定量回転し（ステップＳＴ４２）、ステップＳＴ３９に戻り、ステップＳＴ３９以降の処理を繰り返す。一方、ステップＳＴ４１が否定されると、ピン４９Ａ，４９Ｂを駆動してレンチキュラーシート１１を画像シート１に対して所定方向に所定量回転する（ステップＳＴ４３）。これにより、画像シート１とレンチキュラーシート１１との回転方向の位置合わせが完了する。
【００９８】
この後、図１９および図２０に示すフローチャートのステップＳＴ５に進み、ステップＳＴ５以降と同様の処理を行い、画像シート１Ａとレンチキュラーシート１１とのピッチ方向の位置合わせを行うとともに、画像シート１Ａとレンチキュラーシート１１とを貼り合わせて、レンチキュラープリントの作成を完了する。なお、ステップＳＴ５以降の処理において、第２の調整パターンのパターン画像の取得の処理は、調整パターン３３のパターン画像を取得する処理となる。
【００９９】
このように第２の実施形態による画像シート１Ａを用いても、画像シート１Ａとレンチキュラーシート１１との回転方向およびピッチ方向の位置合わせを容易に行うことができる。また、第１の実施形態のように、第１および第２の調整パターン３１，３２を探し出す必要がないため、位置合わせ装置１の構成を簡易なものとすることができる。
【０１００】
また、上記第２の実施形態においては、位置合わせ装置４０において調整パターン３３を撮影し、撮影により取得されたパターン画像を解析することにより画像シート１とレンチキュラーシート１１との位置合わせを行っているが、作業者が目視により調整パターン３３の高周波成分および濃度を確認して、画像シート１Ａとレンチキュラーシート１１との位置合わせを行うようにしてもよい。また、レンチキュラーシート１１の移動を、作業者が手動で行うようにしてもよい。
【符号の説明】
【０１０１】
１，１Ａ    画像シート
２    画像領域
３    パターン領域
１１    レンチキュラーシート
１２    シリンドリカルレンズ
１４Ａ，１４Ｂ    剥離シート
３１    第１の調整パターン
３２    第２の調整パターン
３３    調整パターン
４０    位置合わせ装置
４１    支持台
４２    補助台
４４Ａ，４４Ｂ    調整モータ
４７    透明支持部材
５１，５２    シリコンシート
【図１】
2010250143.tif 000003
【図２】
2010250143.tif 000004
【図３】
2010250143.tif 000005
【図４】
2010250143.tif 000006
【図９】
2010250143.tif 000007
【図１０】
2010250143.tif 000008
【図１３】
2010250143.tif 000009
【図１４】
2010250143.tif 000010
【図１５】
2010250143.tif 000011
【図１６】
2010250143.tif 000012
【図１７】
2010250143.tif 000013
【図１８】
2010250143.tif 000014
【図１９】
2010250143.tif 000015
【図２０】
2010250143.tif 000016
【図２１】
2010250143.tif 000017
【図２２】
2010250143.tif 000018
【図２３】
2010250143.tif 000019
【図２４】
2010250143.tif 000020
【図２５】
2010250143.tif 000021
【図２６】
2010250143.tif 000022
【図５】
2010250143.tif 000023
【図６】
2010250143.tif 000024
【図７】
2010250143.tif 000025
【図８】
2010250143.tif 000026
【図１１】
2010250143.tif 000027
【図１２】
2010250143.tif 000028